(57)【要約】      （修正有）【課題】物理的な形状として、表面に複数の凸状の補強部を所定の間隔で配置することにより、原材料の相違に関わらず、ひび割れの発生を極力防止し、化学的な調整を補足できるコンクリート製品を提供する。【解決手段】表面に凸状の補強部２を複数設けたコンクリート製品１において、凸状の補強部２の高さをｈ、隣り合う凸状の補強部２の中心間距離をＬｃ、コンクリート端部１ｂと、このコンクリート端部１ｂに最も近い凸状の補強部２の中心との距離をＬｅとしたとき、  ０．２ｍｍ  ≦  ｈ  ≦  １ｍｍ  ７ｍｍ  ≦  Ｌｃ  ≦  ３０ｍｍ  １３ｍｍ  ≦  Ｌｅ  ≦  ３０ｍｍ  の関係を満たす寸法としたものである。【選択図】図２
0003210227.tif 000002
【実用新案登録請求の範囲】
【請求項１】
表面に凸状の補強部を複数設けたコンクリート製品において、
前記補強部の高さをｈ、補強部の中心間距離をＬｃ、コンクリート製品端部と、この端部に最も近い補強部の中心との距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係となることを特徴とするコンクリート製品。
【請求項２】
前記補強部は側面に設けられていることを特徴とする請求項１記載のコンクリート製品。
【請求項３】
筒状をなすボックスカルバートの開口縁に前記補強部を設けたことを特徴とする請求項１又は２記載のコンクリート製品。
【請求項４】
縁石であって、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となることを特徴とする請求項１又は２記載のコンクリート製品。
【請求項５】
四角柱形状の地先境界ブロックであって、断面寸法の一辺の幅をａｂ、高さをｈｂとしたとき、
１２０ｍｍ  ≦  ａｂ  ≦  １５０ｍｍ
１２０ｍｍ  ≦  ｈｂ  ≦  １５０ｍｍ
の関係となることを特徴とする請求項１又は２記載のコンクリート製品。
【請求項６】
側溝蓋であって、断面寸法の上辺幅をａｌ、底辺幅をｂｌ、高さをｔｌとしたとき、
３６２ｍｍ  ≦  ａｌ  ≦  ６２２ｍｍ
３５２ｍｍ  ≦  ｂｌ  ≦  ６１２ｍｍ
９０ｍｍ  ≦  ｔｌ  ≦  １２５ｍｍ
の関係となることを特徴とする請求項１又は２記載のコンクリート製品。
【考案の詳細な説明】
【技術分野】
【０００１】
本考案は、表面に凸状の補強部を設けたコンクリート製品に関するものである。
【背景技術】
【０００２】
近年、日本工業規格（JIS 規格）の改正なども含め、コンクリート製品に対する要求性能が高まってきている。例えば、曲げ耐力として、曲げひび割れ耐力、終局曲げ耐力、又は限界ひび割れ幅耐力などの試験とするなど、より高い性能のコンクリート製品が求められるようになってきている。
【０００３】
しかしながら、コンクリート製品に使用される材料は、産地等で品質が異なるのみならず、再生材などが混ざることもあり、更に、外気温にも左右されるため、混和剤等による化学的な調整のみで、常にひび割れの無い仕上がりを維持することは非常に困難であった。
【０００４】
一方、特許文献１には、表面に滑り止め加工を施した道路用コンクリート製品が開示されており、この道路用コンクリート製品では、道路上に露出する表面部分の全面又は一部分に、独立した複数の凸状体を形成するものである。この複数の凸状体を設けた表面パターンはノスキッド仕上げ（商標）と称し、歩道や階段、電車のホームなどで人や自転車、車椅子等の通行場所に配置され、複数の凸状体の適度なグリップ感により、人や自転車、車椅子などが快適で安全に通行できるものである。
【先行技術文献】
【特許文献】
【０００５】
【特許文献１】登録実用新案第３０７９８７０号公報
【考案の概要】
【考案が解決しようとする課題】
【０００６】
現在、この特許文献１に開示されているような表面に滑り止め加工を施した道路用コンクリート製品は、表面が平坦面のみで形成されたコンクリート製品と比較して、ひび割れを抑制できることが確認されている。しかし、この滑り止め加工の凸状体は、人や自転車、車椅子などの快適な通行のため、つまずきにくく且つ滑りにくい配置としたものであり、凸状体は通行面のみに形成されると共に、凸状体を設ける位置や数によっては、ひび割れの発生を防止できないという問題点があった。
【０００７】
本考案は、このような問題点に鑑みてなされたもので、物理的な形状として、表面に複数の凸状の補強部を所定の間隔で配置することにより、原材料の相違に関わらず、ひび割れの発生を極力防止し、化学的な調整を補足できるコンクリート製品を提供することを目的とする。
【課題を解決するための手段】
【０００８】
本考案の請求項１にかかるコンクリート製品は、表面に凸状の補強部を複数設けたコンクリート製品において、
前記補強部の高さをｈ、補強部の中心間距離をＬｃ、コンクリート製品端部と、この端部に最も近い補強部の中心との距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係となることを特徴とする。
【０００９】
本考案の請求項２にかかるコンクリート製品は、前記補強部は側面に設けられていることを特徴とする。
【００１０】
本考案の請求項３にかかるコンクリート製品は、筒状をなすボックスカルバートの開口縁に前記補強部を設けたことを特徴とする。
【００１１】
本考案の請求項４にかかるコンクリート製品は、縁石であって、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となることを特徴とする。
【００１２】
本考案の請求項５にかかるコンクリート製品は、四角柱形状の地先境界ブロックであって、断面寸法の一辺の幅をａｂ、高さをｈｂとしたとき、
１２０ｍｍ  ≦  ａｂ  ≦  １５０ｍｍ
１２０ｍｍ  ≦  ｈｂ  ≦  １５０ｍｍ
の関係となることを特徴とする。
【００１３】
本考案の請求項６にかかるコンクリート製品は、側溝蓋であって、断面寸法の上辺幅をａｌ、底辺幅をｂｌ、高さをｔｌとしたとき、
３６２ｍｍ  ≦  ａｌ  ≦  ６２２ｍｍ
３５２ｍｍ  ≦  ｂｌ  ≦  ６１２ｍｍ
９０ｍｍ  ≦  ｔｌ  ≦  １２５ｍｍ
の関係となることを特徴とする。
【考案の効果】
【００１４】
本考案のコンクリート製品は、表面に凸状の補強部を複数設けたコンクリート製品において、前記補強部の高さをｈ、補強部の中心間距離をＬｃ、コンクリート製品端部と、この端部に最も近い補強部の中心との距離をＬｅとしたとき、補強部の高さｈを０．２ｍｍ以上、１ｍｍ以下、補強部の中心間距離Ｌｃを７ｍｍ以上、３０ｍｍ以下、製品端部とこの端部に最も近い補強部の中心との距離Ｌｅを１３ｍｍ以上、３０ｍｍ以下とすることにより、コンクリート製品の表面積が増加し、コンクリート製品が乾燥する際の温度収縮時の耐性が増すことで、ひび割れの発生を極力防止し、強度向上を図ることができるものである。
【００１５】
また、仮にコンクリート製品の補強部形成面上を人や自転車、車椅子等が通ることになったとしても、前述した補強部の高さ、補強部の中心間距離、製品端部とこの端部に最も近い補強部の中心との距離は、タイヤなどが程よくグリップする寸法関係であるため、快適で安全に通行できるものである。
【００１６】
更に、本考案の請求項２にかかるコンクリート製品では、前記補強部を側面にも設けているため、施工時、コンクリート製品側面のコンクリート剥落を防止できると共に、複数のコンクリート製品を設置する際、隣接するコンクリート製品の対向面に前記補強部が位置し、コンクリート製品同士の摩擦係数が高まることにより、コンクリート製品同士がズレてしまうことを防止できるものである。
【図面の簡単な説明】
【００１７】
【図１】図１は本考案の複数の凸状の補強部を示すコンクリート製品の要部を拡大した平面図である。
【図２】図２は図１のＡ‐Ａ断面図である。
【図３】図３は本考案をボックスカルバートに適用した場合を示すコンクリート製品の斜視図である。
【図４】図４は本考案を縁石に適用した場合を示すコンクリート製品の斜視図である。
【図５】図５は本考案を地先境界ブロックに適用した場合を示すコンクリート製品の斜視図である。
【図６】図６は本考案を側溝蓋に適用した場合を示すコンクリート製品の斜視図である。
【考案を実施するための形態】
【００１８】
本考案のコンクリート製品は、物理的な形状として、表面に複数の凸状の補強部を所定の間隔で配置することにより、原材料の相違に関わらず、ひび割れの発生を防止し、化学的な調整を補足できるものである。
【実施例１】
【００１９】
図１及び２は本考案のコンクリート製品１の表面に凸状の補強部２を複数形成したパターン面１ａを一部拡大したものである。このパターン面１ａの凸状の補強部２は、製造のし易さや、仮に人や自転車、車椅子等が通る場合などを考慮し、底面Ｌｂが直径５ｍｍ、上面Ｌｔが直径１ｍｍ、高さｈが１ｍｍの円錐台形状をしている。また、形状は円錐台に限られるものではなく、角錐台、円錐、角錐などであっても良いし、高さｈは０．２ｍｍ〜１ｍｍの範囲で適宜選定できるものとする。尚、本考案の凸状の補強部２を複数形成したパターン面１ａは、後述するボックスカルバート、縁石、地先境界ブロック、側溝蓋などのコンクリート製品１に適用するものである。
【００２０】
そして、この凸状の補強部２の適正な配置寸法を調べるため、コンクリート平板上に円錐台の凸状の補強部２を複数形成し、隣り合う凸状の補強部２の中心間距離をＬｃとし、コンクリート平板のコンクリート端部１ｂと、このコンクリート端部１ｂに最も近い凸状の補強部２の中心との距離をＬｅとしたとき、「凸状の補強部の中心間距離Ｌｃ」と、「コンクリート端部と凸状の補強部中心との距離Ｌｅ」について複数の寸法を用意し、ひび割れの有無との関係について検討した。この検討結果の一例を表１に示す。
【００２１】
【表１】
0003210227.tif 000003
【００２２】
この表１によると、凸状の補強部の中心間距離Ｌｃは７ｍｍから３０ｍｍまでひび割れの発生を抑制できたが、３０ｍｍを越えるとひび割れが発生し、コンクリート端部と凸状の補強部の中心との距離Ｌｅは１３ｍｍから３０ｍｍまでひび割れの発生を抑制できたが、３０ｍｍを越えるとひび割れが発生した。尚、凸状の補強部の中心間距離Ｌｃを７ｍｍ以上、コンクリート端部と凸状の補強部の中心との距離Ｌｅを１３ｍｍ以上としているのは、それより小さい寸法では製造が非常に困難となるためである。
【００２３】
以上のことから、凸状の補強部２の高さをｈ、隣り合う凸状の補強部２の中心間距離をＬｃ、コンクリート端部１ｂと、このコンクリート端部１ｂに最も近い凸状の補強部２の中心との距離をＬｅとしたとき、
０．２ｍｍ  ≦  ｈ  ≦  １ｍｍ
７ｍｍ  ≦  Ｌｃ  ≦  ３０ｍｍ
１３ｍｍ  ≦  Ｌｅ  ≦  ３０ｍｍ
の関係を満たす寸法が適正であるといえる。
【００２４】
本実施例１のコンクリート製品１のパターン面１ａは、凸状の補強部２を底面Ｌｂが直径５ｍｍ、上面Ｌｔが直径１ｍｍ、高さｈが１ｍｍの円錐台とし、コンクリート端部１ｂと並行な線上に位置する凸状の補強部２の中心間距離Ｌｃを１４ｍｍ、コンクリート端部１ｂに対して傾斜した線上に位置する凸状の補強部２の中心間距離Ｌｃ２を１０ｍｍ、コンクリート端部１ｂと、このコンクリート端部１ｂに最も近い凸状の補強部２の中心との距離Ｌｅを１３ｍｍとしている。
【００２５】
以上の構成により、コンクリート製品１の表面積が増加し、コンクリート製品１が乾燥する際の温度収縮時の耐性が増すことで、ひび割れの発生を防止できるものである。また、仮にコンクリート製品１の補強部２形成面、即ちパターン面１ａ上を人や自転車、車椅子等が通ることになったとしても、前述した「凸状の補強部の高さｈ」、「凸状の補強部の中心間距離Ｌｃ」、「コンクリート端部と凸状の補強部中心との距離Ｌｅ」は、タイヤなどが程よくグリップする寸法関係であるため、快適で安全に通行できるものである。更に、雨天等の場合であっても、雨水が凸状の補強部２間を流れて排水されることとなるため、通行時の快適性や安全性を極力確保できるものである。
【００２６】
図３は、このような本考案の凸状の補強部２をボックスカルバートに適用した一例を示すもので、角筒をなすコンクリート製品１の開口縁３に凸状の補強部２を設け、パターン面１ａが形成されているものである。ここで、ボックスカルバートとは、地中に埋設される筒形状の構造物で、 道路、水路、通信線等の収容など各種の用途に使用されるものである。
【００２７】
このようなボックスカルバートの場合、図３に示すような角筒型のコンクリート製品１を多数つないで所定長さの空間を形成するものである。このとき開口縁３にパターン面１ａを形成する事で、隣接するコンクリート製品の対向面に前記凸状の補強部２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち開口縁３に凸状の補強部２を設ける事で強度が向上し、この部分でのコンクリートの剥落をも極力防止できるものである。
【００２８】
図４は、図１及び２に記載の本考案の凸状の補強部２を縁石に適用した一例を示すもので、断面が台形をなす棒状のコンクリート製品１であり、歩道と車道、歩道と私有地などの境界に置くもので、上面４及び端面５に凸状の補強部２を設けてパターン面１ａを形成しているものである。
【００２９】
また、本実施例１において、この縁石のコンクリート製品１の寸法は、断面寸法の上辺幅をａｃ、底辺幅をｂｃ、高さをｈｃとしたとき、
１５０ｍｍ  ≦  ａｃ  ≦  １８０ｍｍ
１７０ｍｍ  ≦  ｂｃ  ≦  ２１０ｍｍ
２００ｍｍ  ≦  ｈｃ  ≦  ３００ｍｍ
の関係となっており、その一例として、表２にＡ形、Ｂ形、Ｃ形の３通りの寸法関係を示す。
【００３０】
【表２】
0003210227.tif 000004
【００３１】
このような縁石の場合、図４に示すような断面が台形をなす棒状のコンクリート製品１を多数つないで所定長さの仕切りを形成するものである。このとき端面５にパターン面１ａを形成する事で、隣接するコンクリート製品の対向面に前記凸状の補強部２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち端面５に凸状の補強部２を設ける事で強度が向上し、この部分でのコンクリートの剥落をも極力防止できるものである。
【００３２】
更に、歩行者等が上面４に足を置く事が想定されるが、上面４にもパターン面１ａが形成されているため、快適で安全に通行できるものである。また、図示しないが、上面４のみならず縁石の底面に凸状体２を設けても良く、この場合はコンクリート製品１のズレ防止に貢献するものである。
【００３３】
図５は、図１及び２に記載の本考案の凸状の補強部２を地先境界ブロックに適用した一例を示すもので、四角柱形状のコンクリート製品１であり、道路外と歩道との間、駐車スペースの境界、花壇・街路樹の仕切りなど幅広く用いられるもので、上面６及び端面７に凸状の補強部２を設けてパターン面１ａを形成しているものである。
【００３４】
また、本実施例１において、この地先境界ブロックのコンクリート製品１の寸法は、断面寸法の一辺の幅をａｂ（ｂｂ）、高さをｈｂとしたとき、
１２０ｍｍ  ≦  ａｂ（ｂｂ）  ≦  １５０ｍｍ
１２０ｍｍ  ≦  ｈｂ  ≦  １５０ｍｍ
の関係となっており、その一例として、表３にＡ形、Ｂ形、Ｃ形の３通りの寸法関係を示す。
【００３５】
【表３】
0003210227.tif 000005
【００３６】
このような地先境界ブロックの場合、図５に示すような、四角柱形状のコンクリート製品１を多数つないで所定長さの仕切りを形成するものである。このとき端面７にパターン面１ａを形成する事で、隣接するコンクリート製品の対向面に前記凸状の補強部２が位置するため、コンクリート製品１同士の摩擦係数が高まることにより、コンクリート製品１同士がズレてしまうことを防止できるものである。更に、隣接するコンクリート製品１の対向面は他のコンクリート製品１と接触するため、従来ではコンクリートの剥落の恐れがあったが、隣接するコンクリート製品１の対向面、即ち端面７に凸状の補強部２を設ける事で強度が向上し、この部分でのコンクリートの剥落をも極力防止できるものである。
【００３７】
更に、歩行者等が上面６に足を置く事が想定されるが、上面６にもパターン面１ａが形成されているため、快適で安全に通行できるものである。また、図示しないが、上面６のみならず地先境界ブロックの底面に凸状体２を設けても良く、この場合はコンクリート製品１のズレ防止に貢献するものである。
【００３８】
図６は、図１及び２に記載の本考案の凸状の補強部２を側溝蓋に適用した一例を示すもので、平板形状であって、側面の一部に切欠きを有するコンクリート製品１である。この側溝蓋は、道路や鉄道線路に沿って設けるＵ形排水溝の上面開口を塞ぐものであり、上面８に凸状の補強部２を設けてパターン面１ａを形成しているものである。
【００３９】
また、本実施例１において、この側溝蓋のコンクリート製品１の寸法は、断面寸法の上辺幅をａｌ、底辺幅をｂｌ、高さをｔｌとしたとき、
３６２ｍｍ  ≦  ａｌ  ≦  ６２２ｍｍ
３５２ｍｍ  ≦  ｂｌ  ≦  ６１２ｍｍ
９０ｍｍ  ≦  ｔｌ  ≦  １２５ｍｍ
の関係となっており、その一例として、表４に２５０、３００、４００、５００の４通りの寸法関係を示す。
【００４０】
【表４】
0003210227.tif 000006
【００４１】
このような側溝蓋の場合、道路や鉄道線路に沿って設けるＵ形排水溝の上面開口を塞ぐものである。このため、側溝蓋上を人や自転車、車椅子等が通ることが想定されるが、側溝蓋のコンクリート製品１の上面８にはパターン面１ａが形成されており、このパターン面１ａの「凸状の補強部の高さｈ」、「凸状の補強部の中心間距離Ｌｃ」、「コンクリート端部と凸状の補強部中心との距離Ｌｅ」は、タイヤなどが程よくグリップする寸法関係であるため、快適で安全に通行できるものである。
【００４２】
尚、上述したような凸状の補強部２を有するコンクリート製品１は、前記凸状の補強部２と鏡像関係、即ち凸対応する凹状面を有するコンクリート製品型枠にコンクリートを投入し、コンクリートを養生後、型枠から外すことで凸状の補強部２によるパターン面１ａを備えるコンクリート製品１が得られる。
【符号の説明】
【００４３】
１    コンクリート製品
１ａ  パターン面
１ｂ  コンクリート端部
２    補強部
３    ボックスカルバートの開口縁
４    縁石の上面
５    縁石の端面
６    地先境界ブロックの上面
７    地先境界ブロックの端面
８    側溝蓋の上面
【図１】
0003210227.tif 000007
【図２】
0003210227.tif 000008
【図３】
0003210227.tif 000009
【図４】
0003210227.tif 000010
【図５】
0003210227.tif 000011
【図６】
0003210227.tif 000012